(57)【要約】      （修正有）【課題】本発明は、自動的に、梱包用テープを所望の速度で送出および切断することが可能な電動テープディスペンサーを提供するものである。【解決手段】テープディスペンサーの、テーピングおよび切断工程等の動作は、表面作動装置、主作動装置、および、電気部品の連動によって制御される。【選択図】図１
2018065692.tif 000002
【特許請求の範囲】
【請求項１】
（ａ）ハンドルとして機能するようにさらに延びている少なくとも１つのハウジングと、
（ｂ）前記ハウジングに取り付けられた電源と、
（ｃ）前記電源から電気エネルギーが供給される少なくとも１つの電気回路と、
（ｄ）前記電気回路に接続された少なくとも１つのモータ部品と、
（ｅ）前記少なくとも１つのモータ部品に取り付けられた少なくとも１つの回転可能なローラーと、
（ｆ）前記電気回路に接続された少なくとも１つのオン／オフスイッチと、
（ｇ）前記少なくとも１つのオン／オフスイッチを作動させるための少なくとも１つの作動装置と、
（ｈ）前記ハウジングに取り付けられた少なくとも１つのアダプタローラーと、
（ｉ）前記ハウジングに取り付けられた少なくとも１つのカッター部材と、を備える携帯型電動テープディスペンサー。
【請求項２】
前記少なくとも１つの電気回路の経路は、少なくとも２つのオン／オフスイッチによって開放または閉鎖される、請求項１に記載の携帯型電動テープディスペンサー。
【請求項３】
前記少なくとも１つの作動装置は、少なくとも１つの張力負荷機械部品を含む、請求項１に記載の携帯型電動テープディスペンサー。
【請求項４】
前記少なくとも１つの作動装置はローラーである、請求項３に記載の携帯型電動テープディスペンサー。
【請求項５】
前記少なくとも１つの作動装置は、少なくとも１つの近接センサを含む、請求項１に記載の携帯型電動テープディスペンサー。
【請求項６】
前記少なくとも１つのアダプタローラーは、少なくとも１つのモータ部品にさらに接続されている、請求項１に記載の携帯型電動テープディスペンサー。
【請求項７】
前記少なくとも１つのカッター部材は、少なくとも１つのモータ部品と、前記少なくとも１つのオン／オフスイッチおよび少なくとも１つのタイマーに接続された少なくとも１つのカッター回路制御器とをさらに含む、請求項１に記載の携帯型電動テープディスペンサー。
【請求項８】
（ａ）少なくとも１つのハンドル、および、前記ハンドルによって支えられた上部支持部材と、
（ｂ）前記上部支持部材に取り付けられた電源と、
（ｃ）前記電源から電気エネルギーが供給される少なくとも１つの電気回路であって、前記少なくとも１つの電気回路の経路は、少なくとも２つのオン／オフスイッチによって開放または閉鎖される、少なくとも１つの電気回路と、
（ｄ）前記電気回路に接続された少なくとも１つのモータ部品と、
（ｅ）前記少なくとも１つのモータ部品に取り付けられた少なくとも１つの回転可能なローラーと、
（ｇ）前記上部支持部材に取り付けられた少なくとも１つのアダプタローラーと、
（ｈ）前記上部支持部材取り付けられた少なくとも１つのカッター部材と、を含む携帯型電動テープディスペンサー。
【請求項９】
前記少なくとも１つのオン／オフスイッチは、少なくとも１つの張力負荷機械部品を含む、請求項８に記載の携帯型電動テープディスペンサー。
【請求項１０】
前記少なくとも１つのオン／オフスイッチはローラーである、請求項９に記載の携帯型電動テープディスペンサー。
【請求項１１】
前記少なくとも１つのオン／オフスイッチは、少なくとも１つの近接センサを含む、請求項８に記載の携帯型電動テープディスペンサー。
【請求項１２】
前記少なくとも１つのアダプタローラーは、少なくとも１つのモータ部品にさらに接続されている、請求項８に記載の携帯型電動テープディスペンサー。
【請求項１３】
前記少なくとも１つのカッター部材は、少なくとも１つのモータ部品と、前記少なくとも２つのオン／オフスイッチに第１のスイッチング位置および第２のスイッチング位置において係合する少なくとも１つのカッター回路制御器とをさらに含む、請求項８に記載の携帯型電動テープディスペンサー。
【請求項１４】
（ａ）ハンドルとして機能するようにさらに延びている少なくとも１つのハウジングと、
（ｂ）前記ハウジングに取り付けられた電源と、
（ｃ）前記電源から電気エネルギーが供給される少なくとも１つの電気回路と、
（ｄ）前記電気回路に接続された少なくとも１つのモータ部品と、
（ｅ）前記少なくとも１つのモータ部品に取り付けられた少なくとも１つの回転可能なローラーと、
（ｆ）前記電気回路に接続された少なくとも１つのオン／オフスイッチと、
（ｇ）前記少なくとも１つのオン／オフスイッチを作動させるための少なくとも１つの作動装置と、
（ｈ）前記ハウジングに取り付けられた少なくとも１つのアダプタローラーと、
（ｉ）前記ハウジングに取り付けられた少なくとも１つのカッター部材であって、少なくとも１つのモータ部品と、少なくとも２つのオン／オフスイッチに第１のスイッチング位置および第２のスイッチング位置において係合する少なくとも１つのカッター回路制御器とをさらに含む少なくとも１つのカッター部材と、を含む携帯型電動テープディスペンサー。
【請求項１５】
前記少なくとも１つの電気回路の経路は、少なくとも２つのオン／オフスイッチによって開放または閉鎖される、請求項１４に記載の携帯型電動テープディスペンサー。
【請求項１６】
前記少なくとも１つの作動装置は、少なくとも１つの張力負荷機械部品を含む、請求項１４に記載の携帯型電動テープディスペンサー。
【請求項１７】
前記少なくとも１つの作動装置はローラーである、請求項１６に記載の携帯型電動テープディスペンサー。
【請求項１８】
前記少なくとも１つの作動装置は、少なくとも１つの近接センサを含む、請求項１４に記載の携帯型電動テープディスペンサー。
【請求項１９】
前記少なくとも１つのアダプタローラーは、少なくとも１つのモータ部品にさらに接続されている、請求項１４に記載の携帯型電動テープディスペンサー。
【発明の詳細な説明】
【技術分野】
【０００１】
本発明は、テープを所望の速度で送出および切断する手段を備え、電子的に動力供給される自動テープディスペンサーに関する。
【背景技術】
【０００２】
現在使用されている現行のテープディスペンサーは、従来技術であるＵＳ第５２３６５４０Ａ号のテーピング装置に由来するものである。このテーピング装置は、テープを支持するためのフレームに支えられた回転可能部材と、フレーム上で支持された回転可能なローラーと、フレームの底部に形成されたスロットを通って下方に延びるハンドルを備えると共にローラーに係合可能なパネルを備える押圧装置と、押圧装置のパネルをローラーの方に偏らせてテープを所定の位置に保持するための弾性要素と、を備えている。押圧装置のハンドルを弾性要素に抗して引っ張ると、パネルをローラーから分離させることが可能である。
【０００３】
現行の携帯型テープディスペンサーの主な課題の一つは、手動でカッターを使用する前に、人力でテープを様々な長さに引き伸ばさなければならない点である。本発明では、電子式テープディスペンサーは、ユーザによる始動により、電気モータを利用してテープを送出する。ユーザが所望の位置に携帯型電動テープディスペンサーを配置するだけで、電気モータによって動力を供給されたローラーが動くことにより、テープディスペンサーは、ユーザの手が案内する方向に案内されることになる。これにより、時間が節約され、長時間倉庫において商品を梱包することによる労働者の手や手首に生じる作業過多損傷が最小限に抑えられる。従来の携帯型テープディスペンサーを使用する場合と比較して、労働者の速度および効率が上昇するため、労働者の生産性が上昇する。テープを電子式に切断することと、テープ送出の速度を調節することとを組み合わせれば、より精密及び正確な送出が可能になる。
【発明の概要】
【０００４】
本発明は、梱包用テープを自動的に送出および切断することが可能な電動テープディスペンサーを提供することにある。テープディスペンサーの、テーピングおよび切断工程等の動作は、表面作動装置と主作動装置との連動によって制御される。本発明の表面作動装置は、スタンバイローラー、レバー、主ローラー、および、近接センサを含むが、これらに限定されない。本発明の主作動装置は、押しボタンを含むが、これに限定されない。一実施形態では、スタンバイローラーが表面作動装置である。テーピング工程時に、ユーザは、カートン箱などの対象物の表面にテープディスペンサーを設置する。テープディスペンサーに加えられる圧力により、スタンバイローラーが後退して、バネが当たる位置まで押しやられ、最終的にその導電性プレートがスイッチの導電性プレートと接触して、テープディスペンサーの回路の第１の部分を閉鎖する。その後、ユーザは、ハンドルのシャフトに配置されている押しボタン等の主作動装置を押し込んで、テープディスペンサーの回路の第２の部分をさらに閉鎖し、完全な回路を形成する。バッテリーにより動力が供給されると、電気モータが始動して、その歯車を歯車部品において回転させ、これにより主ローラーが駆動され、テープがアダプタローラーから引き出される。アダプタローラーが、モータによって駆動されて、テープを回転および送出してもよい。この場合、張力が２つの回転部品に分散されるので、テープを送出するために必要な労力を減少させることができる。他の実施形態では、レバーが表面作動装置である。レバーが対象物の表面と接触すると、レバーおよび導電性ホルダの両方が回転し、最終的にその導電性プレートがスイッチの導電性プレートと接触して、テープディスペンサーの回路の第１の部分を閉鎖する。他の実施形態では、主ローラーが表面作動装置である。主ローラーの主な手法は、送出中のテープの表面を案内して押さえることである。テーピング工程時に、ユーザは、対象物の表面にテープディスペンサーを設置する。テープディスペンサーに加えられる圧力が、バネに張力を負荷し、結果的に主ローラーが後退して、バネが当たる位置まで押しやられる。最終的にその導電性プレートが、スイッチの導電性プレートに接触して、テープディスペンサーの回路の第１の部分を閉鎖する。他の実施形態では、近接センサが表面作動装置である。テープディスペンサーのセンサが対象物に対する特定の範囲内に入ると、近接センサにより対象物表面が検出され、電気スイッチが起動して「オン」位置に動作されて、テープディスペンサーの電気回路の第１の部分が閉鎖される。なお、表面作動装置および主作動装置は、１つの構成要素としての電気スイッチの一部であってよい。
【０００５】
本発明は、以下の説明に記載されると共に図面に示される部材の詳細な構成および配置に適用されることに限定されないことは理解されよう。本発明は、他の実施形態においても可能であり、様々な方法で実現または実施されることが可能である。また、ここで使用される表現および用語は、説明のためのものであり、限定するものと見なされるべきではないことは理解されよう。
【図面の簡単な説明】
【０００６】
図１は、外側ハウジングを取り外した、本発明の一実施形態に係るテープディスペンサーを示す概略図である。
【０００７】
図２ａは、本発明に係るカッター回路制御器の状態図である。
【０００８】
図２ｂは、本発明に係るカッター回路制御器の状態表である。
【０００９】
図３は、外側ハウジングを取り外した、本発明の一実施形態に係るテープディスペンサーを示す概略図である。
【００１０】
図４ａは、本発明のテープディスペンサーの一部を示す図であり、レバーとスイッチ部品とが示されている。
【００１１】
図４ｂは、本発明のテープディスペンサーの一部を示す図であり、レバー、スイッチ部品、および、外部対象物との相互作用が示されている。
【００１２】
図５は、外側ハウジングを取り外した、本発明の一実施形態に係るテープディスペンサーを示す概略図である。
【００１３】
図６ａは、本発明のテープディスペンサーの一部を示す図であり、主ローラーとスイッチ部品とが示されている。
【００１４】
図６ｂは、本発明のテープディスペンサーの一部を示す図であり、主ローラー、スイッチ部品、および、外部対象物との相互作用が示されている。
【００１５】
図７は、外側ハウジングを取り外した、本発明の一実施形態に係るテープディスペンサーを示す概略図である。
【発明を実施するための形態】
【００１６】
本発明は、ハンドル１０と、該ハンドル１０の中および上方に取り付けられたフレーム１２とから成る携帯型電動テープディスペンサー１（図１を参照）である。ハンドル１０およびフレーム１２の外側ケース（図示されていない）は取り外して、内部構造を露出させている。ハンドル１０は、シャフト型であり、手で握るのに適しており、バッテリー１４、押しボタン１６、および、速度コントローラ２０を収納している。より効率的だと思われるならば、ハンドルは、電子回路基板、スイッチ、電気モータ、および、歯車部品を収納していてもよい。フレーム１２の主要構造は、主ローラー３０、アダプタローラー３５、スタンバイローラー３２、カッター４０、スイッチ、電子回路基板、電気モータ、および、歯車部品から構成される。ハンドル１０およびフレーム１２は、テープディスペンサー１の部品を固定するために、様々なデザイン、サイズ、および、形状を有し得る。電気モータ１８および歯車部品１９の機能は、テープの主ローラー３０を所望の速度で駆動することである。主ローラー３０の主な手法は、送出中のテープ３１を案内して表面へ押さえることである。主ローラー３０は、心棒５５によって歯車部品１９に連結された車輪部品である。なお、全ての電気部品の配線が、全ての図面において図示されているわけではない。
【００１７】
アダプタローラー３５は、シャフト３４に取り付けられており、テープ３１のロールを支持しながらシャフト３４を中心に回転する。アダプタローラー３５は、そのモータ３３により駆動されて回転することにより、テープ３１を送出する。この場合、張力が２つの回転部品の間に分散されるので、テープを送出するために必要な労力を減少させることができる。アダプタローラー３５および主ローラー３０の速度は同期されていることが好ましく、回転速度は速度コントローラ２０によって任意に調節される。あるいは、テープディスペンサー１の動作をわずかに変更して、主ローラー３０がアダプタローラー３５よりもわずかに早くなるようにすることにより、テープに一定の張力を生成してもよい。この場合、一定の張力により、テープが、アダプタローラーと主ローラーとの間に垂れ下がることが回避されることになる。場合によっては、テープディスペンサー１は、モータで駆動されない簡素な機械式アダプタローラーを備えていてもよい。この場合、主ローラー３０だけがテープ３１を引っ張る作業を担当するため、アダプタローラーは受動的に回転する。速度コントローラ２０は、モータの速度を制御する回路装置である。主ローラーのモータ１８およびアダプタローラーのモータ３３は、ディスペンサーを所望の速度で動作させる手段を備える速度コントローラ２０に接続されている。図１に示される速度コントローラ２０は、上記のローラーのいずれか一方または両方がテープを送出するための回転速度を加速または減速させるための、レベル１、レベル２、または、レベル３といった複数の設定を有していてよい。
【００１８】
テープディスペンサー１の回路は、電気スイッチにより制御される。回路の第１の部分は、表面作動装置およびその関連スイッチ部品８８から成る。本実施形態では、スタンバイローラー３２が表面作動装置である。回路の第２の部分は、主作動装置およびその関連スイッチ部品８９から成る。本実施形態では、押しボタン１６が主作動装置である。テープディスペンサー１のモータを始動させるためには、スイッチ８８およびスイッチ８９の両方を「オン」にして、完全な回路を形成する必要がある。
【００１９】
スタンバイローラー３２は、張力が負荷される車輪部品であり、心棒５６によりスイッチ部品８８に連結されている。スタンバイローラー３２の一端は、電気スイッチ８８とさらに相互作用する導電性プレートを有している。スイッチ８８は、バッテリー１４（電源）から全ての各モータまでの電力の流れを制御することに関与している。テーピング工程時に、ユーザは、カートン箱などの対象物の表面にテープディスペンサー１を当てる。テープディスペンサー１に加えられる圧力により、ローラー３２が後退して、バネに抗する位置まで押しやられ、最終的にその導電性プレートがスイッチ８８の導電性プレートと接触して、回路の第１の部分を閉鎖する（スイッチ８８は「オン」位置にある）。この場合、テープディスペンサー１は、スタンバイモードにある。その後、ユーザは、ハンドルのシャフトに配置されている押しボタン１６を押し込む。これにより、今度は、スイッチ８９が起動して完全な回路が形成される。両スイッチ（スイッチ８８およびスイッチ８９）が、「オン」位置に設定されると、バッテリー１４によって動力を供給された電気モータ１８が始動して、その歯車を歯車部品１９において回転させる。これにより、主ローラー３０が駆動され、テープがアダプタローラー３５から引き出される。押しボタン１６が押された状態で維持されている間に、スタンバイローラー３２が対象物の表面と接触した状態が解除されると、バネは、自動的にスタンバイローラー３２をその初期位置である「非押下」位置（スイッチ８８は「オフ」位置にある）に戻して開回路を形成し、モータ１８の動作を停止させる。逆に、スタンバイローラー３２が対象物の表面とまだ接触している間にユーザが押しボタン１６を離した場合も、モータ１８は同じく停止する。上述の二重スイッチ回路は、ユーザが誤ってスタンバイローラー３２または押しボタン１６のスイッチを作動させてしまった時に、予期せずモータ１８等の電気部品がオンされることが無いようにするものである。押しボタン１６は、ハンドルを握るユーザの手の指で容易に始動させたり動作を停止させたりすることが可能な位置にあるように、ハンドルのシャフトに沿って配置されていることが好ましい。スタンバイローラー３２または押しボタン１６は、スイッチをオンおよびオフさせることができるならば、様々なデザイン、サイズ、および、形状（例えば、取っ手、タブ、突出部、レバー、円盤、または、ボタンの形）のものであってよい。なお、スタンバイローラー３２または押しボタン１６は、１つの構成要素としての電気スイッチの一部であり得る。なお、本発明中に記載されるバネは、圧力の負荷と非負荷とを切り替える手段を備える、任意の形態の張力負荷装置と置き換えることが可能である。
【００２０】
所望の長さのテープが送出されると、テープ３１は、刃４９を備える電動式カッター４０により切断されることが可能である。カッター回路制御器４１が「オン」位置に設定されると、電気モータ４６が作動して、その歯車を歯車部品４７において回転させ、これによりカッター４０が始動する。カッター４０の動作は、カッター回路制御器４１によって管理される。カッター回路制御器４１の入力は、接点４３ａ、接点４３ｂ、および、接点４３ｔにそれぞれ接続されている。接点４３ａは、さらに、スタンバイローラー３２のスイッチ８８に接続されている。接点４３ｂは、押しボタン１６のスイッチ８９に接続されている。接点４３ｔは、規定の時間からカウントダウンを行うデジタルカウンタであるタイマー４５に接続されている。カッター回路制御器４１の出力は、カッター４０のモータ４６に接続されている。
【００２１】
カッター４０は、次の条件のうちのいずれかにおいて始動する。ａ）押しボタン１６がユーザに押された状態のまま、テープディスペンサー１が対象物から引き離され持ち上げられた時に、スイッチ８８が「オフ」位置にありスイッチ８９が「オン」位置にある。ｂ）テープディスペンサー１が対象物と接触した状態のまま、ユーザが押しボタン１６を離した時に、スイッチ８８が「オン」位置にありスイッチ８９が「オフ」位置にある。
【００２２】
上述の状況は、カッター回路制御器の状態図（図２ａを参照）により示されることが可能である。１つのエッジは、入力（４３ａ，４３ｂ，４３ｔ）によって引き起こされるような、一つの状態から別の状態への遷移を示す。１つのエッジは、現在の状態から次の状態へ向かう矢印として示されている。カッター回路制御器４１は３つの状態、すなわち、Ｃ＿ＯＦＦ、Ｃ＿ＲＥＡＤＹ、および、Ｃ＿ＯＮを有している。カッター回路制御器４１のステートマシンは、状態図（図２ａ）および状態遷移表（図２ｂ）によって示されることが可能である。状態遷移表には、各入力によって生じる次の状態および出力Ｙ（動作）が示されている。ディスペンサー１が非アクティブである場合、入力は、４３ａ＝0、４３ｂ＝0、４３ｔ＝0であると共に、出力はＹ＝０であり（エッジ３００）、カッター回路制御器４１は状態Ｃ＿ＯＦＦで維持される。テープディスペンサー１が動作中である場合、入力は、４３ａ＝１、４３ｂ＝１、４３ｔ＝０になり、出力はＹ＝０になる（接線３１０）。カッター回路制御器４１は、Ｃ＿ＲＥＡＤＹ状態への遷移を引き起こすことになる。この状態では、カッター回路制御器４１は、カッター４０をオンにする準備ができたスタンバイモードにある。なお、Ｃ＿ＲＥＡＤＹ状態において、カッター４０は始動されない。これは、テープディスペンサーがまだ動いている間に、突然カッター４０がテープ３１を切断しないようにするためである。入力が、４３ａ＝１、４３ｂ＝０、４３ｔ＝０、または、４３ａ＝０、４３ｂ＝１、４３ｔ＝０であり、出力がＹ＝１の場合（エッジ３１５）、カッター回路制御器４１の状態は、Ｃ＿ＲＥＡＤＹ状態からＣ＿ＯＮ状態に遷移する。この状態において、カッター回路制御器４１はカッター４０をオンにし、その後、テープ３１は、カッター４０の刃４９で切断される。Ｃ＿ＯＮ状態において、カッター回路制御器４１は、タイマー４５も動作させる。カッター回路制御器４１は、４３ｔ＝０（エッジ３２０）である限り、Ｃ＿ＯＮ状態で維持されることになる。タイマー４５は、入力を、所定の時点で４３ｔ＝１に設定する。所定の時点に達すると、入力は、４３ａ＝Ｘ（何でも構わない）、４３ｂ＝Ｘ（何でも構わない）、４３ｔ＝１になる。カッター回路制御器４１は、Ｃ＿ＯＮ状態からＣ＿ＯＦＦ状態（エッジ３３０）に遷移し、出力はＹ＝０になる。Ｃ＿ＯＦＦ状態では、カッター４０の動作は停止され、カッター回路制御器４１のステートマシンは、その初期状態にリセットする。
【００２３】
カッター４０およびその関連部品は、全ての実施形態に含まれるテープを切断する手段を備えるテープディスペンサー１の任意の位置に配置されていてよい。なお、カッター４０の部品は、様々なデザイン、サイズ、および形状を有し得る。カッター４０のモータ４６は、押しボタンスイッチに直接接続していてもよい。この場合、ユーザは、押しボタンを押下することによりカッター４０を始動するか、押しボタンを離すことによりカッター４０の動作を停止させることが可能である。あるいは、テープディスペンサー１は、モータによって駆動されない単純な機械式カッターを備えていてもよい。上記工程は、バネ機構などの非電動式のシステムを用いて実現されてもよいが、バネ機構には限られない。カッター４０の上述の特徴は、本発明の全ての実施形態に含まれていてよい。
【００２４】
他の実施形態では、レバー１１が表面作動装置である（図３を参照）。この場合、張力が負荷されるレバー１１は、フレーム１２に対して取り付けられている。レバー１１の一端は、導電性ホルダ６０に嵌合されている。図４ａおよび図４ｂは、動作を示すものである。レバー１１が、対象物の表面２００に接触すると、レバー１１および導電性ホルダ６０は、時計回りに回転して、導電性プレート６２をバネに対して押しつけ、最終的にスイッチ９０を作動させる。これにより、回路の第１の部分が閉鎖される（スイッチ９０が「オン」位置に設定される）。この場合、テープディスペンサー１はスタンバイモードにある。その後、ユーザは、ハンドルのシャフトに位置する押しボタン１６を押し込む。これにより、今度は、電気スイッチ８９が起動され、完全に閉鎖した回路が形成される。電気回路の両方のスイッチ（スイッチ９０およびスイッチ８９）が「オン」位置に設定されると、電気モータ１８が始動して、その歯車を歯車部品１９において回転させる。これにより、主ローラー３０が駆動されて、テープがアダプタローラー３５から引き出される。押しボタン１６がユーザによって押し込まれた状態にある間に、レバー１１が対象物の表面と接触した状態が解除されると、導電性ホルダ６０は受動的に導電性プレート６２から後退する。バネにかかる張力が解除されて、導電性プレート６２はスイッチ９０から分離される。つまり、レバー１１がその初期位置に戻る工程により、スイッチ９０は「オフ」にされ、これによって今度は、モータ１８の動作が停止する。逆に、レバー１１が対象物の表面と接触している状態でユーザが押しボタン１６を離した場合でも、モータ１８は停止することになる。この二重スイッチ回路は、ユーザが誤ってレバー１１または押しボタン１６を押下した場合に、予期せずモータ１８等の電気部品がオンされることが無いようにするものである。
【００２５】
テープが所望の長さに達すると、テープ３１は、刃４９を備える電動式カッター４０により切断されることが可能である。カッター４０の動作は、上述のように、カッター回路制御器４１により管理される。カッター回路制御器４１の入力は、接点４３ａ、接点４３ｂ、および、接点４３ｔにそれぞれ接続されている。接点４３ａは、レバー１１のスイッチ９０にさらに接続されている。接点４３ｂは、押しボタン１６のスイッチ８９に接続されている。接点４３ｔは、規定の時間からカウントダウンを行うデジタルカウンタであるタイマー４５に接続されている。
【００２６】
なお、導電性ホルダ６０は、１つの構成要素としてのレバー１１の一部であってよい。なお、レバー１１等の表面作動装置は、スイッチをオンおよびオフすることができるならば、様々なデザイン、サイズ、および、形状（例えば、取っ手、タブ、突出部、レバー、円盤、または、ボタンの形）のものであってよい。なお、レバー１１は、１つの構成要素としての電気スイッチの一部であってもよい。
【００２７】
他の実施形態では、電気スイッチング装置は、テープディスペンサー１の主ローラー３０ｂの部品に集積されている（図５を参照）。この場合、主ローラー３０ｂは、張力が負荷される歯車部品１９ｂに、心棒５５ｂによって連結されている。図６ａおよび図６ｂは、テーピング工程中の、ユーザがカートン箱等の対象物の表面２００にテープディスペンサー１を当てる動作を示す図である。テープディスペンサー１に加えられる圧力により、主ローラー３０ｂが後退して、バネに抗する位置まで押しやられ、最終的にその導電性プレート７３がスイッチ７２の導電性プレート７０と接触して、回路の第１の部分を閉鎖する（スイッチ７２は「オン」位置）。この場合、テープディスペンサー１はスタンバイモードにある。その後、ユーザは、ハンドルのシャフトに位置する押しボタン１６を押し込む。これにより、今度は、電気スイッチ８９が閉鎖され、完全な回路が形成される。両方のスイッチ（スイッチ７２およびスイッチ８９）が「オン」位置に設定されると、バッテリー１４によって動力を供給された電気モータ１８が始動して、その歯車を歯車部品１９ｂにおいて回転させる。これにより、主ローラー３０ｂが駆動され、テープ３１がアダプタローラー３５から引き出される。押しボタン１６が押された状態で維持されている間に、主ローラー３０ｂが対象物の表面と接触した状態が解除されると、バネは、自動的に主ローラー３０ｂをその初期位置である「非押下」位置（スイッチ７２は「オフ」位置にある）に戻して開回路を形成し、モータ１８の動作を停止させる。主ローラー３０ｂがまだ対象物の表面と接触している間に、ユーザが押しボタン１６を離した場合でも、モータ１８は同じく停止する。上述の二重スイッチ回路は、ユーザが誤って主ローラー３０ｂまたは押しボタン１６のスイッチを作動させてしまった時に、予期せずモータ１８等の電気部品がオンされることが無いようにするものである。
【００２８】
所望の長さのテープ３１が送出されると、テープ３１は、刃４９を備える電動式カッター４０によって切断されることが可能である。カッター４０の動作は、上述のように、カッター回路制御器４１により管理される。カッター回路制御器４１の入力は、接点４３ａ、接点４３ｂ、および、接点４３ｔにそれぞれ接続されている。接点４３ａは、主ローラー３０ｂのスイッチ７２にさらに接続されている。接点４３ｂは、押しボタン１６のスイッチ８９に接続されている。接点４３ｔは、規定の時間からカウントダウンを行うデジタルカウンタであるタイマー４５に接続されている。
【００２９】
主ローラー３０ｂまたは押しボタン１６は、スイッチをオンおよびオフすることができるならば、様々なデザイン、サイズ、および、形状（例えば、取っ手、タブ、突出部、レバー、円盤、または、ボタンの形）のものであってよい。なお、主ローラー３０ｂまたは押しボタン１６は、１つの構成要素としての電気スイッチの一部であってもよい。
【００３０】
他の実施形態では、表面作動装置は近接センサ１００であってよい（図７を参照）。近接センサは、隣接する物体の存在を、物理的に接触せずに検出することが可能なセンサである。近接センサは、電磁波源、または、赤外線等の光源によって作動されることが可能である。この場合、近接センサ１００は、フレーム１２に対して取り付けられる。テープディスペンサー１のセンサが、対象物に対して特定の範囲内に入ると、近接センサ１００により対象物表面が検出され、電気スイッチ９４が「オン」位置に動作されて、回路の第１の部分が完成される。第２の回路は、ユーザがローラーの押しボタン１６を押すと、閉鎖されることになる。この電気回路の両方のスイッチが「オン」位置に設定されると、電気モータ１８が始動して、その歯車を歯車部品１９において回転させる。これにより、主ローラー３０が駆動され、テープがアダプタローラー３５から引き出される。押しボタン１６がユーザによって押された状態で維持されている間に、テープディスペンサーが対象物から離れると、近接センサはスイッチ９４の動作を停止させて、開回路を形成し、これによって、今度はモータ１８の動作を停止させる。対象物がまだ電子式近接センサの近傍にある間にユーザが押しボタン１６を離した場合でも、モータ１８は停止する。これは、ユーザが誤って主スイッチを起動させた場合に、予期せず電気モータ１８がオンされることが無いようにするものである。テープ３１が所望の長さまで送出されると、テープ３１は、刃４９を備える電動式カッター４０によって切断されることが可能である。カッター４０の動作は、上述のように、カッター回路制御器４１により管理される。カッター回路制御器４１の入力は、接点４３ａ、接点４３ｂ、および、接点４３ｔにそれぞれ接続されている。接点４３ａは、近接センサ１００のスイッチ９４にさらに接続されている。接点４３ｂは、押しボタン１６のスイッチ８９に接続されている。接点４３ｔは、規定の時間からカウントダウンを行うデジタルカウンタであるタイマー４５に接続されている。近接センサは、その主な目的が回路を始動させることである限り、様々な形状、デザイン、または、機能のものであってよい。なお、近接センサを近接スイッチに置き換えてもよい。この場合は、スイッチ９４は省かれる。近接スイッチは、対象物と接触した場合や、対象物の所定の距離内に入った場合に、電気回路を開放または閉鎖する。
【００３１】
本発明は、以下の説明に記載されると共に図面に示される部材の詳細な構成および配置に適用されることに限定されないことは理解されよう。本発明は、他の実施形態においても可能であり、様々な方法で実現または実施されることが可能である。また、ここで使用される表現および用語は、説明のためのものであり、限定するものと見なされるべきではないことは理解されよう。
【図１】
2018065692.tif 000003
【図２ａ】
2018065692.tif 000004
【図２ｂ】
2018065692.tif 000005
【図３】
2018065692.tif 000006
【図４ａ】
2018065692.tif 000007
【図４ｂ】
2018065692.tif 000008
【図５】
2018065692.tif 000009
【図６ａ】
2018065692.tif 000010
【図６ｂ】
2018065692.tif 000011
【図７】
2018065692.tif 000012
【外国語明細書】
2018065692000001.pdf